(57)【要約】【課題】本発明は書き換え可能領域とエンボス領域とが混在している、書き換え型記録媒体であっても、イニシャル処理において完全な再生可能状態に設定することを可能とするものである。【解決手段】書換え型光ディスクを再生するディスク再生装置において、書換え型光ディスクから光学的に信号を再生するピックアップ３と、このピックアップにより再生された信号に基づいて書換え型ディスクの種別を判定する手段（ＳＴ１）と、この判定手段により判定された書換え型ディスクの種別に応じたパラメータに基づいて再生信号の調整を行う手段（ＳＴ４〜ＳＴ８）とを有することを特徴とする光ディスク装置。【選択図】    図５
2004171616.tif 000002
【特許請求の範囲】
【請求項１】
書換え型光ディスクを再生するディスク再生装置において、
書換え型光ディスクから光学的に信号を再生する再生手段と、
この再生手段により再生された信号に基づいて書換え型ディスクの種別を判定する手段と、
この判定手段により判定された書換え型ディスクの種別に応じたパラメータに基づいて再生信号の調整を行う手段とを有することを特徴とする光ディスク装置。
【請求項２】
請求項１に記載の光ディスク装置において、前記判定手段は書換え型光ディスクの容量を判定し、前記調整手段は書換え型光ディスクの容量に応じたパラメータに基づいて再生信号の調整を行う手段とを有することを特徴とする光ディスク装置。
【請求項３】
請求項１に記載の光ディスク装置において、
再生手段による再生信号を最適化するサーボ手段と、
前記判定手段により判定された書換え型ディスクの種別に応じて前記サーボ手段におけるパラメータを出力する手段とを有し、前記調整手段は前記出力手段により出力されたパラメータに基づいて再生信号の調整を行う手段とを有することを特徴とする光ディスク装置。
【発明の詳細な説明】
【０００１】
【発明の属する技術分野】
本発明は、光ディスク装置、例えばコンピュータ・システム用のＣＤ（コンパクト・ディスク）ＲＯＭ駆動装置、ＤＶＤ（デジタルビデオディスク）駆動装置などの光ディスク再生装置およびＣＤ−Ｒ、ＣＤ−ＲＷ、ＤＶＤ−ＲＡＭなどの光ディスク再生装置に関するものである。
【０００２】
【従来の技術】
光ディスクドライブは、ディスクを挿入するとドライブ装置自身が光ディスクを読み取る時に使用されるトラッキングエラー信号及びフォーカスエラー信号などの重要な信号の波形の自動調整、いわゆるイニシャル処理を行う。
【０００３】
光ディスクドライブは、光ピックアップや様々なＩＣで構成されている。そのためドライブ装置自身がバラツキを持っているため、安定した光ディスクの読み取りを行うことはできない。
【０００４】
このため、光ディスクドライブを精度よく安定的に動作させるためには、トラッキングエラーやミラー信号など各種信号のオフセットやバランス調整が非常に重要である。各種調整を正確に行う為には、使用するディスクの特性を正確に読み取ることが必要である。
【０００５】
従って、安定な光ディスクの読み取りを実現するために、一般的にディスク挿入時、光ディスクドライブは最適な読み取りが出来るようにＩＣの中で自動調整を行っている。
【０００６】
このようにディスク挿入時に行われる自動調整としては、代表的なものにトラッキングエラー信号及びフォーカスエラー信号のオフセット調整、バランス調整、及びゲイン調整などがある。この自動調整では、光ディスクを読み取ったときの信号をサンプリングし、このサンプリングデータを基にトラッキングエラー信号及びフォーカスエラー信号等の調整が行われる。
【０００７】
光ディスクドライブの自動調整において、トラッキングエラー信号及びフォーカスエラー信号等の調節を各ディスク及び各装置について的確に行うために、トラッキングやミラー信号の自動調整を行う際に参照されるサンプリングデータを、ディスク全周について同じ回数読み込むことによって、ディスクの特性をより正確に反映した自動調整方法がある（特許文献１参照）。
【０００８】
しかしながら、ＤＶＤ−ＲＡＭのような書き換え型記録ディスクの場合、書き換え可能領域とエンボス領域とが混在しており、夫々の領域で特性が異なるため、ＤＶＤ−ＲＯＭやＣＤ−ＲＯＭの場合と同じイニシャル処理を行うことはできない。
【０００９】
又、光ディスクを読み取ったときの信号はピックアップヘッド（ＰＵＨ）の出力であるため、経年劣化する性質がある上、更に、市場に出回っている様々な光ディスクは、同一の特性を持っていないことから、出荷時にのみ調整して固定値で使用することは出来ない。
【００１０】
従って、特開２００２−９２９１３号公報に示されるような技術では、書き換え可能領域とエンボス領域とが混在しているＤＶＤ−ＲＡＭのような書き換え型記録ディスクの場合、イニシャル処理において完全な再生可能状態とするのが容易ではないという問題があった。
【００１１】
【特許文献１】
特開２００２−９２９１３号公報（第５頁、図８、図９）
【００１２】
【発明が解決しようとする課題】
本発明は上述したような書き換え可能領域とエンボス領域とが混在している、書き換え型記録媒体であっても、イニシャル処理において完全な再生可能状態に設定することを可能とすることを課題とする。
【００１３】
【課題を解決するための手段】
本発明は上記課題を解決するために、書換え型光ディスクを再生するディスク再生装置において、
書換え型光ディスクから光学的に信号を再生する再生手段と、
この再生手段により再生された信号に基づいて書換え型ディスクの種別を判定する手段と、
この判定手段により判定された書換え型ディスクの種別に応じたパラメータに基づいて再生信号の調整を行う手段とを備える。
【００１４】
【発明の実施の形態】
以下、本発明の実施の形態について図面を参照して説明する。
【００１５】
本実施形態は光ディスク装置に適応したものであり、ＤＶＤ−ＲＯＭドライブを例として説明する。
【００１６】
図１は本発明の第１の実施形態にかかるディスク装置の構造を概略的に示す図、図２このディスク装置に組込まれた光ピックアップの構成を示すブロック図である。
【００１７】
本実施形態のディスク装置は、図１に示すように、ディスク１を回転駆動するディスクモータ２と、ディスク１に記録された信号を読出すピックアップ３と、ピックアップ３をディスク１の半径方向に移動するフィードモータ４と、マイコン、信号処理回路等が搭載されたメイン基板とから主に構成されている。フィードモータ４にはモータの回転周波数、回転数あるいは回転方向などのモータの回転状態を検知する検知手段が設けられており、その検知手段からの出力信号を送りモータ駆動信号回路にて使用することにより、トラックサーチ時に送りモータを制御する。
【００１８】
ピックアップ３には、図２に示すように、レーザ光を発光する発光ダイオード５と、図示しないワイヤあるいは板バネによって支持され発光ダイオード５より発光されたレーザ光を収束しディスク１の表面に照射する対物レンズ６と、フォーカス方向又はトラッキング方向に対物レンズ５をそれぞれ移動制御するためのフォーカシングコイル７又はトラッキングコイル８と、ディスク１からの反射光を受光するディテクタ９と、ディスク１からの反射光をモニタし発光ダイオード５へフィードバックを行うモニタディテクタ１０が主に設けられている。
【００１９】
図３は上記ピックアップ３を含む回路ブロックを示す図であり、ピックアップ３で読み出された信号が供給されるＲＦアンプ１１と、ＲＦアンプ１１で増幅された信号が供給されるＤＳＰ（デジタル・シグナルプロセッサ）１２を有する。
【００２０】
図３に示されるように、ＲＦアンプ１１に接続されるピックアップ３は、４分割ディテクタ９と、ＣＤ用のトラックエラー信号作成のためのサブビームディテクタ１３、１４を有しており、更に、光ディスクに照射するレーザ光を発生する発光ダイオード５、発生したレーザ光と光ディスク１からの反射光を分離するスプリッタ１５と、対物レンズ６及び、４分割デテクタ９の手前に配置される集光レンズ１６とを有している。
【００２１】
発光ダイオード５から発せられる光ビームは、スプリッタ１５、対物レンズ６を介して光ディスク１上に照射され、光ディスク１からの反射光は、対物レンズ６、スプリッタ１５、集光レンズ１６を介して、４分割ディテクタ９に導かれる。
【００２２】
４分割ディテクタ９は、光検出セル９ａ、９ｂ、９ｃ、９ｄの４分割の受光素子から成る。
【００２３】
光検出セル９ａ、９ｂ、９ｃ、９ｄ並びにサブビームディテクター３３ａ、３３ｂの出力はＲＦアンプに入力され、このＲＦアンプは各信号を増幅して加算・減算を行い、トラッキングエラー信号（ＴＥ）、フォーカスエラー信号（ＦＥ）、ＲＦ信号、ＭＩＲＲ信号を出力する。
【００２４】
トラッキングエラー（ＴＥ）信号とフォーカスエラー（ＦＥ）信号は、光ディスクのＳｅｒｖｏ信号で光ＰＵＨのレンズのＳｅｒｖｏ動作を行う信号である。ＲＦ信号は読取った再生データ信号で、ＭＩＲＲ信号はＲＦ信号の包絡線（エンベロープ）である。
【００２５】
ＲＦ信号は光検出器９の光検出セル９ａ、９ｂ、９ｃ、９ｄの出力信号の加算により作成される。
【００２６】
即ち、光検出セル９ａ、９ｂ、９ｃ、９ｄの出力をそれぞれＡ、Ｂ、Ｃ、Ｄとすると、ＲＦアンプ１１は、ＲＦ＝Ａ＋Ｂ＋Ｃ＋Ｄなる信号により高周波信号ＲＦを生成する。
【００２７】
同様にＲＦアンプ１１はＦＥ＝（Ａ＋Ｃ）−（Ｂ＋Ｄ）なる信号によりフォーカスエラー信号ＦＥを生成し、又、ＴＥ＝（Ａ＋Ｂ）−（Ｃ＋Ｄ）なる信号によりトラッキングエラー信号ＴＥを生成する。
【００２８】
ミラー（ＭＩＲＲ）信号は、ＲＦ波形のピークとボトムを検知し｛（ピーク）−（ボトム）｝の演算をすることで作成される。このＭＩＲＲ信号は、レンズジャンプしたとき、つまり駆動コイル１１を用いてレンズをトラッキング方向に複数トラック分移動したとき、実際に何トラック移動したかを確認するために用いられる。
【００２９】
尚、ＣＤ再生時のトラックエラー（ＴＥ）信号は、サブビームディテクター１３の出力電流Ｅとサブビームディテクター１４の出力電流Ｆとの差演算（Ｅ−Ｆ）により作成される。
【００３０】
ＤＳＰ１２にはＭＰＵ１７が接続されていてＤＳＰ１２はＭＰＵ１７からの指示に基づき動作する。又、ＤＳＰ１２にはＡ／Ｄコンバータ１２ａ、各種調整値を一時的に保持するレジスタ１２ｂが設けられ、さらに、ＤＳＰ１２にはトラッキングイコライザ１２ｃ、フォーカスイコライザ１２ｄが設けられている。
【００３１】
トラッキングイコライザ１２ｃはトラッキングエラー信号に基づきトラッキングエラー信号を打ち消すための制御パラメータを出力し、この制御パラメータはＤ／Ａコンバータによりアナログ変換されてトラッキングアクチュエータ用のドライバ１８に入力され、ドライバ１８がトラッキングコイル８を駆動する。
【００３２】
又、フォーカスイコライザ１２ｄはフォーカスエラー信号に基づきフォーカスエラー信号を打ち消すための制御パラメータを出力し、この制御パラメータはＤ／Ａコンバータによりアナログ変換されてフォーカスアクチュエータ用のドライバ１９に入力され、ドライバ１９がフォーカスコイル７を駆動する。
【００３３】
上述したように、ＤＶＤ−ＲＡＭの場合には書き換え可能領域とエンボス領域とが混在しており、夫々の領域で特性が異なるため、この領域に応じて、再生信号（ＲＦ）、フォーカスエラー信号（ＦＥ）およびトラッキングエラー信号（ＴＥ）の感度も相違する。
【００３４】
又、フォーカスエラー信号およびトラッキングエラー信号には、光学ヘッドの光学系やアナログ信号処理系のゲインバランスのばらつきによりサーボの基準レベルに対して偏る現象が現れる。このような偏りを放置すると、正しいサーボ制御ができなくなる。
【００３５】
そこで、イニシャル処理において、フォーカスエラー信号に対してはＲＦ信号の振幅、トラッキングエラー信号に対してはトラッキングエラー信号の中心とサーボの基準レベルとの差をそれぞれ監視しながら、アナログ演算回路でのゲインバランスを変化させることによってフォーカスエラー信号およびトラッキングエラー信号のバランス（これらをそれぞれフォーカスバランス、トラッキングバランスという）を自動的に調整して上述した偏りを補正し、ＤＳＰ１２はこれらの調整結果をレジスタに記憶しておき、通常再生時にはこのレジスタに記憶されている調整結果を読み出してフォーカスサーボ系およびトラッキングサーボ系にそれぞれ設定することで、サーボに必要な信号が安定して出力されるようにする。
【００３６】
以下、ディスク装置のイニシャル動作を図４のフローチャートに基づき説明する。
【００３７】
まず、電源が投入され、光ディスク１がディスクトレーに装着されると、ＭＰＵ１７は、反射光量を検出して装着されたディスクがＤＶＤ高反射のディスクであるか、又は、ＤＶＤ低反射ディスクの判定をする（Ｓ１）。即ち、ＤＶＤ−ＲＯＭの場合にはレーザ光の反射率が高く、一方ＤＶＤ−ＲＡＭ等の記録可能媒体の場合にはレーザ光の反射率が低いため、反射光量のレベルにより装着されたディスクがＤＶＤ−ＲＡＭ等の記録可能媒体であるか否かが判定できる。尚、ＣＤとＤＶＤとではディスク表面からの記録層（反射層）迄の位置が異なるので、フォーカス位置によりＣＤとＤＶＤとを区別できる。
【００３８】
ＤＶＤ低反射ディスクと判定された場合には、ＤＶＤ−ＲＡＭ  ４．７Ｇが装着されたものと推定し、ＤＶＤ−ＲＡＭ  ４．７Ｇの設定を出力する（Ｓ２）。尚、ＤＶＤ低反射ディスクのうち、市場での利用状況から４．７ＧのＤＶＤ−ＲＡＭディスクが一般的に用いられているので、ドライブがディスクをＤＶＤ低反射ディスクと認識したら、ＤＶＤ−ＲＡＭ４．７Ｇであると仮に判定し、最初にＤＶＤ−ＲＡＭ４．７Ｇ用の調整を行うこととしている。
【００３９】
次に、発光ダイオード５によるレーザを点灯させる（Ｓ３）、そして、サーボパラメーターなどの各設定値（オフセット値）を用いて記録領域（ユーザー領域）でそれぞれＤＶＤ−ＲＡＭ４．７Ｇ用の調整を行うためにオフセット値を取り込む（Ｓ４）。
【００４０】
尚、このオフセット値は、ピックアップ３、ＲＦアンプ１１、ＤＳＰ１２、ドライバ１８，１９等からなるトラッキング及びフォーカシングのサーボ制御ループによるサーボ制御のオフセット値である。
【００４１】
更に、光ディスク上のヘッダ（ＣＡＰＡ）の有無を判定する（Ｓ５）。ここで、光ディスク上にヘッダ（ＣＡＰＡ）が存在しない場合はＤＶＤ−ＲＡＭ以外のＤＶＤ−ＲＷ等のディスクであるため、該当するディスクの調整に移行する。
【００４２】
光ディスク上にヘッダ（ＣＡＰＡ）が存在していると判定された場合には、ＤＶＤ−ＲＡＭ４．７Ｇ用のフォーカスバランス調整（合焦点調整）を行う（Ｓ６）。
【００４３】
次に、ＤＶＤ−ＲＡＭ４．７Ｇ用のトラッキングバランス調整を行う（Ｓ７）。
【００４４】
次に、ＤＶＤ−ＲＡＭ４．７Ｇ用のトラッキングゲイン調整を行う（Ｓ８）
以上で書き換え可能領域における自動調整が終了し、その後、エンボス領域での自動調整を行うために、エンボス（Ｅｍｂｏｓｓ）領域（最内周部にあたる）にビームスポットを移動（サーチ）させる（Ｓ９）。
【００４５】
そして、Ｅｍｂｏｓｓ領域へのサーチが終了したらエンボス領域での自動調整を行う（Ｓ１０）。尚、エンボス領域での自動調整については後述する。
【００４６】
そして、エンボス領域での自動調整が終了すると、エンボス領域内にあるコントロールデータを読み取る（Ｓ１１）。ここで、エンボスデータゾーンのコントロールデータゾーンには、適用されるＤＶＤ規格のタイプ（ＤＶＤ−ＲＯＭ、ＤＶＤ−ＲＡＭ、ＤＶＤ−Ｒ等）およびパートバージョンを示すブックタイプアンドパートバージョンと、ディスクサイズおよび最小読出レートを示すディスクサイズアンドミニマムリードアウトレート、１層ＲＯＭディスク，１層ＲＡＭディスク，２層ＲＯＭディスク等のディスク構造を示すディスクストラクチュア、記録密度を示すレコーディングデンシティ、データが記録されている位置を示すデータエリアアロケーション等が記憶されている。
【００４７】
従って、コントロールデータゾーンのコントロールデータを読むことによりディスクのタイプが正しく判別できることとなり、読み取ったコントロールデータにより、装着されたディスクがＤＶＤ−ＲＡＭ４．７Ｇのメディアであるか否かを最終的に判断する（Ｓ１２）。
【００４８】
装着されているディスクが、ＤＶＤ−ＲＡＭ４．７Ｇであると最終的に判断されれば、内周・外周部分にあるＤＭＡの読み取りを行う（Ｓ１３）。
【００４９】
これにより、ＤＶＤ−ＲＡＭ４．７Ｇとしての、イニシャル処理が終了する。
【００５０】
一方、ステップ１２（Ｓ１２）において、ＤＶＤ−ＲＡＭ２．６Ｇであると判断されると、ここで、発光ダイオード５によるレーザ発光を一旦オフとして、ＤＶＤ−ＲＡＭ２．６Ｇの設定を出力する（Ｓ１４）。
【００５１】
その後、ＤＶＤ−ＲＡＭ４．７Ｇの場合と同様に、レーザをオンしオフセット取り込みを行い、（ＳＴ１５）ヘッダの有無を判定する（Ｓ１６）。
【００５２】
更に、フォーカスバランスの調整を行い（Ｓ１７）、トラッキングバランスの調整を行う（Ｓ１８）。更に、トラッキングゲインを調整し（Ｓ１９）、そして、ヘッダ部でのＲＦ振幅調整を行って（Ｓ２０）、その後、ＤＭＡの読み取りを行う（Ｓ２１）。
【００５３】
そして、ＤＶＤ−ＲＡＭ２．６Ｇとしてのイニシャルを終了する（Ｓ３４）。
【００５４】
次に、上述したエンボス領域での自動調整について図５のフローチャートに基づいて説明する。
【００５５】
まず、トラッキングサーボをオン状態として、ピックアップ３の対物レンズ６の焦点をディスクのＢＣＡ領域直後のエンボス領域に移動させる（ＳＴ２０）。
【００５６】
そして、トラッキングエラー信号（ＴＥ）のバランス調整（ＴＢ調整）を行う（ＳＴ２１）。
【００５７】
次に、少なくともディスクからアドレス信号が読めるようにＲＦ信号のＧａｉｎ調整を行う（ＳＴ２２）。
【００５８】
エンボス領域は幅が０．４９ｍｍと短いため、長い調整時間を要する場合には、エンボス領域の終端に近づいて来てしまう。このため、再度、トラッキングサーボをオン状態として、ピックアップ３の対物レンズ６の焦点をディスクのＢＣＡ領域直後のエンボス領域に移動させる（ＳＴ２３）。
【００５９】
そして、フォーカスエラー信号（ＦＥ）のバランス調整（ＦＢ調整）を行い（ＳＴ２４）、ピックアップ３の対物レンズ６の焦点をディスクのエンボス領域の中央部に移動させ、かつトラッキングサーボをオフ状態とする（ＳＴ２５）。
そして、この状態でトラッキングエラー信号（ＴＥ）のバランス調整（ＴＢ調整）を行う（ＳＴ２６）。
【００６０】
ＴＢ調整が終了すると、トラッキングサーボをオン状態として、ピックアップ３の対物レンズ６の焦点をディスクのＢＣＡ領域直後のエンボス領域に移動させる（ＳＴ２７）。そして、フォーカスエラー信号（ＦＥ）のゲイン調整（ＦＧ調整）を行う（ＳＴ２８）。
【００６１】
ＦＧ調整が終了すると、続いてＲＦ信号のＧａｉｎ調整を行う（ＳＴ２９）。
【００６２】
以上のステップ２０（ＳＴ２０）乃至ステップ２９（ＳＴ２９）により、ディスクのエンボス領域における調整が完了する。
【００６３】
以上説明した実施形態では、一連のイニシャル処理を、４．７ＧのＤＶＤ−ＲＡＭの場合と２．６ＧのＤＶＤ−ＲＡＭの場合とで、各オフセット値を出し分けて調整を行うので、それぞれのメディアで最適な自動調整が可能となる。又、エンボス領域での自動調整をＢＣＡ直後に戻って調整を行うため、エンボス領域並びに書き換え可能領域の双方で独立した調整が可能となる。
【００６４】
【発明の効果】
以上の様に、本発明によれば、書き換え型記録メディアにおいて調整が可能となる。
【図面の簡単な説明】
【図１】本発明の実施形態に係わる。ディスク装置の構造を概略的に示す斜視図。
【図２】図１のディスク装置における光ピックアップの構成を示すブロック図。
【図３】図２のピックアップを含む回路ブロックを示す図。
【図４】ディスク装置におけるイニシャル処理を説明するフローチャート。
【図５】ディスクのエンボス領域における自動調整を説明するフローチャート。
【符号の説明】
３……ピックアップ
９……４分割ディテクタ
１３……ＲＦアンプ
１４……ＤＳＰ
ＲＦ……ＲＦ信号
【図１】
2004171616.tif 000003
【図２】
2004171616.tif 000004
【図３】
2004171616.tif 000005
【図４】
2004171616.tif 000006
【図５】
2004171616.tif 000007